(57)【要約】      （修正有）【課題】刈高さ検出装置の組立性や整備性を向上させるコンバインを提供する。【解決手段】走行機体の前部に昇降自在に連結される刈取部と、刈取部の下部に設けられ、地面に対する刈取部の高さを検出する刈高さ検出装置１４と、を備えるコンバインであって、刈高さ検出装置１４は、機体走行方向及び高さ方向に沿うプレート部材２３と、プレート部材２３の一面側に上下回動自在に配置される接地体３０と、プレート部材２３の他面側に配置されて接地体３０の回動角を検出するポテンショメータと、を備えてユニット化されるとともに、プレート部材２３の一面側が、刈取部の下部に対して着脱可能に取り付けられる。【選択図】図１１
2019122324.tif 000002
【特許請求の範囲】
【請求項１】
走行機体の前部に昇降自在に連結される刈取部と、
前記刈取部の下部に設けられ、地面に対する前記刈取部の高さを検出する刈高さ検出装置と、を備えるコンバインであって、
前記刈高さ検出装置は、機体走行方向及び高さ方向に沿うプレート部材と、前記プレート部材の一面側に上下回動自在に配置される接地体と、前記プレート部材の他面側に配置されて前記接地体の回動角を検出するポテンショメータと、を備えてユニット化されるとともに、前記プレート部材の一面側が、前記刈取部の下部に対して着脱可能に取り付けられることを特徴とするコンバイン。
【請求項２】
前記刈高さ検出装置は、
前記接地体を初期位置に向けて付勢する付勢部材と、
前記接地体又は前記プレート部材に設けられ、前記プレート部材又は前記接地体に当接することで前記接地体を初期位置に係止する係止部と、を備えることを特徴とする請求項１に記載のコンバイン。
【請求項３】
前記刈高さ検出装置は、
前記プレート部材を一面側から他面側に亘って貫通し、一端側に連結される前記接地体を上下回動自在に支持する回動軸と、
前記回動軸の他端側に連結されるとともに前記ポテンショ側連係部材に連係され、前記回動軸の回動を前記ポテンショメータに入力する接地側連係部材と、
前記プレート部材の他面側に取り付けられ、少なくとも前記接地側連係部材及び前記ポテンショ側連係部材を前記プレート部材との間で覆うカバー体と、を備えることを特徴とする請求項１又は２に記載のコンバイン。
【発明の詳細な説明】
【技術分野】
【０００１】
本発明は、刈高さ検出装置を備えるコンバインに関する。
【背景技術】
【０００２】
刈取部の下部に設けられ、地面に対する刈取部の高さを検出する刈高さ検出装置を備えるコンバインが知られている。例えば、特許文献１、２に記載される刈高さ検出装置は、地面に接地する上下回動自在な接地体と、該接地体の回動角を検出するポテンショメータと、を備えて構成されている。
【先行技術文献】
【特許文献】
【０００３】
【特許文献１】特許第４４５７０２２号公報
【特許文献２】特許第５６７２２９３号公報
【発明の概要】
【発明が解決しようとする課題】
【０００４】
しかしながら、特許文献１、２に記載される刈高さ検出装置は、刈取部の下部（分草デバイダや分草フレーム）に対して一体的に取り付けられており、刈高さ検出装置を単体で着脱することができないため、組立性や整備性の点で改善の余地があった。
【課題を解決するための手段】
【０００５】
本発明は、上記の如き実情に鑑みこれらの課題を解決することを目的として創作されたものであって、請求項１の発明は、走行機体の前部に昇降自在に連結される刈取部と、前記刈取部の下部に設けられ、地面に対する前記刈取部の高さを検出する刈高さ検出装置と、を備えるコンバインであって、前記刈高さ検出装置は、機体走行方向及び高さ方向に沿うプレート部材と、前記プレート部材の一面側に上下回動自在に配置される接地体と、前記プレート部材の他面側に配置されて前記接地体の回動角を検出するポテンショメータと、を備えてユニット化されるとともに、前記プレート部材の一面側が、前記刈取部の下部に対して着脱可能に取り付けられることを特徴とする。
請求項２の発明は、請求項１に記載のコンバインであって、前記刈高さ検出装置は、前記接地体を初期位置に向けて付勢する付勢部材と、前記接地体又は前記プレート部材に設けられ、前記プレート部材又は前記接地体に当接することで前記接地体を初期位置に係止する係止部と、を備えることを特徴とする。
請求項３の発明は、請求項１又は２に記載のコンバインであって、前記刈高さ検出装置は、前記プレート部材を一面側から他面側に亘って貫通し、一端側に連結される前記接地体を上下回動自在に支持する回動軸と、前記回動軸の他端側に連結されるとともに前記ポテンショ側連係部材に連係され、前記回動軸の回動を前記ポテンショメータに入力する接地側連係部材と、前記プレート部材の他面側に取り付けられ、少なくとも前記接地側連係部材及び前記ポテンショ側連係部材を前記プレート部材との間で覆うカバー体と、を備えることを特徴とする。
【発明の効果】
【０００６】
請求項１の発明によれば、刈高さ検出装置は、ユニット化されるとともに、刈取部の下部に対して着脱可能に取り付けられるので、刈高さ検出装置の組立性や整備性を向上させることができる。また、接地体が配置されるプレート部材の一面側が、刈取部の下部に対して着脱可能に取り付けられ、プレート部材の他面側にポテンショメータが配置されるので、プレート部材の一面側に接地体及びポテンショメータを配置する場合に比べ、配置の自由度が高められるとともに、組立調整が容易となる。
請求項２の発明によれば、接地体を初期位置に係止するための構成を簡略化できる。
請求項３の発明によれば、刈高さ検出装置は、カバー体を含むユニットとして構成できるので、刈高さ検出装置の組立性を向上できるだけでなく、接地側連係部材及びポテンショ側連係部材に対する泥や茎稈の付着を防止できる。
【図面の簡単な説明】
【０００７】
【図１】本発明の実施形態に係るコンバインの左側面図である。
【図２】本発明の実施形態に係るコンバインの平面図である。
【図３】本発明の実施形態に係る分草デバイダ及び刈高さ検出装置の左側面図である。
【図４】本発明の実施形態に係る分草デバイダ及び刈高さ検出装置の右側面図である。
【図５】本発明の実施形態に係る分草デバイダ及び刈高さ検出装置の正面図である。
【図６】本発明の実施形態に係る分草デバイダ及び刈高さ検出装置の背面図である。
【図７】本発明の実施形態に係る刈高さ検出装置の接地体上限回動状態を示す左側面図である。
【図８】本発明の実施形態に係る刈高さ検出装置の接地体退避動作（後進走行時）を示す左側面図である。
【図９】本発明の実施形態に係る刈高さ検出装置の接地体退避動作（旋回走行時）を示す左側面図である。
【図１０】本発明の実施形態に係る刈高さ検出装置の接地体退避動作（接地体上限回動及び旋回走行時）を示す左側面図である。
【図１１】本発明の実施形態に係る刈高さ検出装置の着脱状態を示す左側面図である。
【図１２】本発明の実施形態に係る刈高さ検出装置の分解斜視図である。
【図１３】本発明の実施形態に係る刈高さ検出装置の要部断面図である。
【図１４】本発明の実施形態に係る刈高さ検出装置の一部を省略した左側面図である。
【図１５】本発明の実施形態に係る刈高さ検出装置の変形例を示す要部断面図である。
【発明を実施するための形態】
【０００８】
［コンバイン］
以下、本発明の実施の形態について、図面に基づいて説明する。図１及び図２において、Ｃはコンバインであって、該コンバインＣは、機体フレーム２が左右一対のクローラ式走行装置１によって支持された走行機体３と、オペレータが乗り込んで操向操作等を行うキャビン１０と、走行機体３の前側に昇降駆動可能に連結された刈取部４と、を備えている。
【０００９】
刈取部４は、走行機体３の前部側から前方下側に向けて延設されるとともに、後端部基端側を回動支点として上下回動自在に設けられた支持体６に支持されており、支持体６側と走行機体３側とに連結された油圧シリンダ（図示せず）を伸縮させることによって、刈取部４が昇降駆動されるように構成されている。
【００１０】
また、刈取部４は、前端下側で左右方向に複数（図示する例では７つ）並べて配置した分草デバイダ７によって圃場の穀稈を刈取側と非刈取側に分草し、分草された穀稈を引起装置８によって引起すとともに刈取部４側に掻込み、下端側に配置された刈刃（図示せず）によって穀稈を刈取る刈取作業を行う。そして、刈取部４により刈取られた穀稈は、刈取部４の搬送装置によって、走行機体３の左部に設置された脱穀装置１２まで搬送され、脱穀装置１２の左側面に設けられたフィードチェーン１３に渡される。
【００１１】
刈取部４の下部（分草デバイダ７の下部）には、地面（圃場面）に対する刈取部４の高さ（以下、適宜、対地高さという。）を検出する刈高さ検出装置１４が設けられており、刈取部４は、刈高さ検出装置１４により検出された対地高さに基づいて、刈取作業時における刈取部４の昇降位置が刈取作業に適した高さ位置に制御されるように構成されている。
【００１２】
なお、刈高さ検出装置１４は、図示する例では左右両端のデバイダ７Ｌ、７Ｒの内側に隣接する２つの分草デバイダ７にそれぞれ設けられているが、刈高さ検出装置１４はその他の分草デバイダ７に設置されてもよく、設置する刈高さ検出装置１４の数も１つであっても、３つ以上であってもよい。分草デバイダ７及び刈高さ検出装置１４の具体的な構成については後述する。
【００１３】
脱穀装置１２に渡された穀稈は、株元側がフィードチェーン１３と、該フィードチェーン１３の上側に配置された挟持レール１６とで挟持され、且つ、穂先側が脱穀装置１２の扱胴（図示せず）側に向けられた状態で後方搬送される。扱胴は、前後方向に延びる筒状に形成されるとともに、前後方向の軸回りに回転駆動されるように構成されており、この扱胴の回転駆動によって、フィードチェーン１３で後方に搬送される穀稈の穂先側が脱穀処理されて排藁になる。脱穀処理された処理物は、扱胴の下側に配置される選別室（図示せず）に落下供給される。
【００１４】
選別室に落下供給された処理物は、回動選別及び風選別によって、籾等の穀粒と、藁屑等の排出物とに選別される。排出物は、走行機体３の後端部から機外に排出される一方で、穀粒は走行機体３における脱穀装置１２の右側に位置するグレンタンク１７内に搬送収容される。
【００１５】
一方、排藁は、フィードチェーン１３の後端側から、該フィードチェーン１３の後方に配置された排藁搬送体１８に渡されて走行機体３の後端側に向けて後方搬送され、そのまま走行機体３の後端部から機外に排出されるか、或いは、切断処理された後に機外に排出される。
【００１６】
グレンタンク１７内に貯留された穀粒は、走行機体３の後端右側に基端部が支持されて、上下方向の基端部を軸に左右旋回及び上下回動するオーガ１９を介して機外へと排出される。
【００１７】
つぎに、分草デバイダ７と、該分草デバイダ７に設けた刈高さ検出装置１４の構成について、図３〜図１０を参照して説明する。
【００１８】
［分草デバイダ］
分草デバイダ７は、支持体６から刈取部４の前端側まで延設された分草フレーム２１と、該分草フレーム２１の前端部に設けられる取付板２２とを介して支持体６に支持されている。本実施形態の分草デバイダ７は、取付板２２にボルト固定されて前方に突出された分草板２４と、該分草板２４の上面側に設けられたガイド体２６と、該分草板２４の左右両面側に取付けられた左右一対のガイド杆２７と、分草板２４の左右両面側に設けたガイド板２８と、を備えて構成されるとともに、分草板２４の後部に刈高さ検出装置１４が取付けられている。
【００１９】
取付板２２は、前方に向かって下方傾斜する長孔状の取付孔２２ａが上下一対穿設されており、該取付孔２２ａを介して分草板２４がボルト固定される。これにより、刈取作業を行う作物の種類や、圃場の固さの状況に応じて、分草デバイダ７の取付位置を取付孔２２ａの範囲内で前後又は上下方向に調整することができる。
【００２０】
ガイド体２６は、前端側に分草板２４の上端が嵌合される凹部２６ａを有し、側面視で凹部２６ａから後方上側に向かって傾斜するように延設されるとともに、凹部２６ａから後方に向かって左右外側に向かって幅広となるように形成されている。これにより、ガイド体２６は、分草板２４の左右側面側から上面側をカバーすることができる。
【００２１】
ガイド杆２７は、その前端側が分草板２４の左右の側面側に固着されるとともに、後方に向かって分草板２４の左右外側に向かって傾斜させた前後方向の棒状部材であって、分草板２４の左右両側にそれぞれ設けられている。また、ガイド杆２７は、側面視でガイド体２６の凹部２６ａ真下側から左右外側に屈曲形成されるとともに、ガイド体２６と同様に後方上側に向かって傾斜するように形成されている。
【００２２】
ガイド板２８は、分草板２４の左右側面側に取付けられ、後方に向かって左右外側に傾斜する直角三角形状に形成された部材であり、側面視でガイド杆２７の下側で、且つ刈高さ検出装置１４の前方側に配置されるとともに、圃場面側に対して略水平となるように設けられている。
【００２３】
このような構成によれば、分草デバイダ７は、圃場の穀稈穀稈を分草板２４の左右両側に分草し、該分草板２４によって分草された穀稈を、刈刃側に近づくに伴って株元側をガイド体２６及びガイド杆２７によって分草板２４の左右外側に向けて次第に湾曲させ、該穀稈を隣接する分草デバイダ７間に配置された引起装置８側へと案内することができる。
【００２４】
また、図示されるように、刈高さ検出装置１４は、側面視でガイド体２６の下側で、且つ正面視で左右一対のガイド杆２７、２７の間に形成されるスペースＳに配置されている。すなわち、ガイド杆２７及びガイド体２６により、圃場での前進走行により掻き込まれる穀稈が、刈高さ検出装置１４の前方側で左右外側にかき分けるように案内されるため、刈高さ検出装置１４側に穀稈が接触することによる故障等を防止することができる。
【００２５】
また、分草デバイダ７は、ガイド板２８によって、圃場での作業走行時に刈高さ検出装置１４の前方側の圃場の泥や、ガイド杆２７でガイドされない雑草等を突き崩して、かき分けることができるため、刈高さ検出装置１４側に泥が付着したり雑草類が絡まったりすることを効率的に防止することができる。なお、ガイド板２８は、圃場がぬかるんでいる場合に、分草デバイダ７が圃場側に沈み込むことを防止する沈下規制板としても機能させることができる。
【００２６】
［刈高さ検出装置］
刈高さ検出装置１４は、機体走行方向及び高さ方向に沿うように分草板２４に取り付けられるプレート部材２３と、該プレート部材２３に上下回動可能に支持される接地体３０と、該接地体３０の上下回動位置を検出するポテンショメータ３１と、を備え、圃場側に接地して上下回動する接地体３０の上下回動位置をポテンショメータ３１で検出することにより刈取部４の対地高さを検出するように構成されている。
【００２７】
接地体３０は、第１回動軸３３を介してプレート部材２３の左右一方（図示する例では左）側の面に上下回動可能に支持された検出部材３４と、該検出部材３４の下端側に取付固定された前後方向に延設されたボス部材３５と、該ボス部材３５に挿通される第２回動軸３６と、該第２回動軸３６を軸に軸回転するように構成された退避部材３７と、該退避部材３７の後端側に配置されて第３回動軸３８を軸に前後回動可能に設けられた接地部材３９とを備え、該接地体３０は、走行機体３の前進走行時に接地部材３９の下部側を圃場面側に接地させて対地高さを検出する検知姿勢と、走行機体３の後進走行時又は左右旋回時に接地部材３９を上方に退避させた退避姿勢とに切換えることができるように構成されている。
【００２８】
接地部材３９は、退避部材３７の後端側から下方に向かって延設された板状部材であって、その下端側が圃場側に接触する接地部３９ａと、該接地部３９ａの上端側を第３回動軸３８に前後（上下）回動可能に支持される基端部３９ｂと、第３回動軸３８に挿通されて接地部３９ａを後方回動する側に付勢するトーションバネ４１とを備え、基端部３９ｂが退避部材３７の後端側に形成された規制部３７ａと当接することにより、後方回動する側に付勢された接地部３９ａが側面視で下方に向かって後方傾斜した検出位置で保持されるように構成されている。
【００２９】
これにより、接地部材３９は、トーションバネ４１の付勢力により検出位置で保持される一方で、接地部材３９に前方回動する力が作用した場合には、該接地部材３９がトーションバネ４１の付勢力に抗して前方（上方）に退避回動するように構成されている。具体的な作動については後述する。
【００３０】
退避部材３７は、前後方向に延設された板状部材であって、全体がコ字状となるように前後端をそれぞれ屈曲することにより、第２回動軸３６が連結される連結部３７ｂと、退避部材３７後端側の規制部３７ａと、が形成されている。
【００３１】
連結部３７ｂは、第２回動軸３６が連結されるとともに、前方に向かって延設された突設ピン４２が設けられている。また、連結部３７ｂは、第２回動軸３６が検出部材３４下端側のボス部材３５に挿通されるとともに、抜止めピンで抜け止めすることにより、ボス部材３５（検出部材３４）側に軸回転可能に支持されている。また、ボス部材３５側には、トーションバネ４３の筒状部が外装されており、該トーションバネ４３から突出された一対のアーム部が、突設ピン４２を挟むように配置されている。
【００３２】
これにより、退避部材３７は、その軸回転位置が、トーションバネ４３の付勢力により接地部材３９が正面視で圃場に向かって真っすぐ延設された検出位置となる位置で保持されている。これにより、接地部材３９に左右回動する方向の力が作用した場合には、退避部材３７をトーションバネ４３の付勢力に抗して第２回動軸３６の軸回りに軸回転させることによって、接地部材３９が左右（上方）側に退避回動するように構成されている。具体的な作動については後述する。
【００３３】
検出部材３４は、第１回動軸３３に固着されるとともに、第１回動軸３３がプレート部材２３側に形成されたボス部２３ａに回動自在に挿通されることにより、第１回動軸３３を軸に上下回動するようにプレート部材２３側に支持されている。
【００３４】
検出部材３４は、第１回動軸３３の下方側に下限規制ピン４６が設けられており、該下限規制ピン４６が、プレート部材２３の下面側と当接することにより検出部材３４の下方（前方）回動が下限位置で規制されるように構成されている。その一方で、第１回動軸３３の上方側にはプレート部材２３から検出部材３４側に突設された上限規制ピン４７が設けられており、該上限規制ピン４７が検出部材３４の上部側と当接することにより、検出部材３４の上方（後方）回動が上限位置で規制されるように構成されている。なお、本実施形態では、検出部材３４に下限規制ピン４６を設けているが、プレート部材２３に下限規制ピン４６を設け、該下限規制ピン４６が、検出部材３４の上面側と当接することにより検出部材３４の下方（前方）回動が下限位置で規制されるようにしてもよい。  
【００３５】
また、第１回動軸３３には、トーションバネ４８の筒状部が挿通さ.れており、該トーションバネ４８から突出された一対のアーム部の一方側が検出部材３４側の下限規制ピン４６側に係止され、アーム部の他方側が支持ブラケット３４側の上限規制ピン４７側に係止されている。
【００３６】
これにより、検出部材３４は、下限規制ピン４６がプレート部材２３側に当接した下限位置で付勢された状態を初期状態として、該初期状態からの上方回動量をポテンショメータ３１で検出することにより、刈取部４の対地高さを検出するように構成されている。具体的な作動については後述する。
【００３７】
上記のように構成された接地体３０は、走行機体３が前進走行して接地部材３９が地面に接触して押されることにより、接地部材３９に前方から力が加わると、規制部３７ａにより接地部材３９の後方回動（退避部材３７に対する相対回動）が規制された状態で、接地体３０全体（検出部材３４）が、トーションバネ４８の付勢力に抗して第１回動軸３３を軸に上方回動する（図７等参照）。
【００３８】
また、接地体３０は、走行機体３が後進走行して接地部材３９が地面や切株等に接触して押されることによって接地部材３９に後方から力が加わると、接地部材３９は、トーションバネ４１の付勢力に抗して、第３回動軸３８を中心として前方に退避回動（退避部材３７に対する相対回動）する（図８参照）。これにより、接地部材３９等が破損することを防止できる。このとき、第３回動軸３８側のトーションバネ４１よりも、第１回動軸３３側のトーションバネ４８の方が付勢力の大きいものが用いられるため、検出部材３４が上下回動される前に、接地部材３９が先に退避作動するように構成されている。
【００３９】
また、接地体３０は、走行機体３が旋回走行して接地部材３９が地面や切株等に接触して押されることによって接地部材３９に横方向から力が加わると、接地部材３９は、第２回動軸３６を中心として左右方向に退避回動（検出部材３４に対して左右に相対回動）する（図９及び図１０参照）。これにより、接地部材３９等が破損することを防止できる。
【００４０】
以上より、第１回動軸３３は、検出部材３４の回動軸であって刈取部４の対地高さが検出に関連する回動軸であり、第２回動軸３６及び第３回動軸３８は、接地部材３９の退避作動に関連する回動軸となる。
【００４１】
なお、接地体３０は、検知姿勢から退避姿勢に切換えられる際には、接地体３０の一部である接地部材３９のみが前後左右に退避作動されるため、刈高さ検出装置１４を設置するために分草デバイダ７の下側に確保するスペースをより小さくすることができる。
【００４２】
ポテンショメータ３１は、プレート部材２３の左右一方（図示する例では右）側の面に取付固定されており、後述する連係部５０を介して検知部材３４の上下回動を検出できるように設けられている。すなわち、ポテンショメータ３１は、接地体３０（検知部材３４、退避部材３７、接地部材３９）が回動作動された場合であっても取付位置が動かないため、ポテンショメータ３１に接続する配線が配索し易くなる。
【００４３】
つぎに、刈高さ検出装置１４における連係部５０の保護構造及び配置構成と、刈高さ検出装置１４の取付構造について、図１１〜図１５を参照して説明する。
【００４４】
［連係部の保護構造］
前述したように、本実施形態の刈高さ検出装置１４は、機体走行方向及び高さ方向に沿うように刈取部４の下部に取り付けられるプレート部材２３と、プレート部材２３の一面側（図示する例では左側）に上下回動自在に配置される接地体３０と、プレート部材２３の他面側（図示する例では右側）に固定状態で配置され、連係部５０を介して接地体３０の回動角を検出するポテンショメータ３１と、プレート部材２３を一面側から他面側に亘って貫通し、一端側（図示する例では左端側）に連結される接地体３０を上下回動自在に支持する第１回動軸３３と、を備える。
【００４５】
図１２〜図１４に示すように、連係部５０は、ポテンショメータ３１の検出軸３１ａに連結されたポテンショ側検出アーム５１（ポテンショ側連係部材）と、第１回動軸３３の他端側（図示する例では右端側）に連結されるとともにポテンショ側検出アーム５２に下方から係合され、第１回動軸３３の回動をポテンショメータ３１の検出軸３１ａに入力する接地側検出アーム５２（接地側連係部材）と、を備える。
【００４６】
プレート部材２３の他面側（図示する例では右側）には、少なくとも接地側検出アーム５２及びポテンショ側検出アーム５１をプレート部材２３との間で覆うカバー体６０が取り付けられている。つまり、接地体３０と接地側検出アーム５２をプレート部材２３の一面側と他面側に振り分けて配置するとともに、接地側検出アーム５２及びポテンショ側検出アーム５１をプレート部材２３とカバー体６０との間で覆ったので、接地側検出アーム５２を接地体３０と同じプレート部材２３の一面側に配置する場合に比べ、カバー体６０の構成を簡略化しつつ接地側検出アーム５２及びポテンショ側検出アーム５１を確実に覆い、接地側検出アーム５２とポテンショ側検出アーム５１との連係部分に対する泥や茎稈の付着を防止できる。また、ポテンショメータ３１は、プレート部材２３の他面側に固定状態で配置されるので、ポテンショメータ３１に接続される配線の変位空間が不要になる。
【００４７】
また、接地側検出アーム５２及びポテンショ側検出アーム５１は、プレート部材２３とポテンショメータ３１との間に配置されている。このような配置構成によれば、カバー体６０の構成をさらに簡略化できるだけでなく、刈高さ検出装置１４のコンパクト化が可能になる。
【００４８】
また、プレート部材２３には、接地側検出アーム５２及びポテンショ側検出アーム５１の少なくとも一部が入り込む凹部２３ｂが形成される。本実施形態の凹部２３ｂは、プレート部材２３に形成された孔２３ｃと、プレート部材２３の一面側に溶着されて孔２３ｃの一面側を覆蓋する覆蓋部材２３ｄとから構成されている。このような凹部２３ｂによれば、ポテンショメータ３１の出っ張り量を減らし、刈高さ検出装置１４のさらなるコンパクト化が可能になる。
【００４９】
また、ポテンショメータ３１は、スペーサ部材７１を介してプレート部材２３の他面側に取り付けられている。具体的に説明すると、ポテンショメータ３１は、一対のネジ７２を用いてプレート部材２３の他面側に取り付けられるが、一対のネジ７２は、スペーサ部材７１に形成される孔７１ａを貫通し、プレート部材２３及び覆蓋部材２３ｄに亘って形成されるネジ孔２３ｅにねじ込まれる。
【００５０】
スペーサ部材７１には、接地側検出アーム５２及びポテンショ側検出アーム５１の少なくとも一部が入り込む孔７１ｂが形成されている。このようなスペーサ部材７１によれば、接地側検出アーム５２及びポテンショ側検出アーム５１の少なくとも一部を保護する部材に兼用されるので、カバー体６０の構成をさらに簡略化することが可能になる。
【００５１】
本実施形態のカバー体６０は、プレート部材２３の他面側に取り付けられるカバー取付部材６１と、カバー取付部材６１に一対のネジ６２を介して取り付けられるカバー本体６３と、を備える。
【００５２】
カバー取付部材６１は、ポテンショメータ３１をプレート部材２３に取り付ける際、ポテンショメータ３１とスペーサ部材７１との間に挟まれると状態で取り付けられる。具体的に説明すると、ポテンショメータ３１を取り付ける一対のネジ７２は、カバー取付部材６１に形成される孔６１ａと、スペーサ部材７１に形成される孔７１ａとを貫通し、プレート部材２３及び覆蓋部材２３ｄに亘って形成されるネジ孔２３ｅにねじ込まれる。
【００５３】
カバー本体６３は、カバー取付部材６１に立設される一対の取付片６１ｂに対し、それぞれネジ６２を介して取り付けられる。本実施形態のカバー本体６３は、接地側検出アーム５２及びポテンショ側検出アーム５１を覆うだけでなく、ポテンショメータ３１とスペーサ部材７１とを一緒に覆うように構成されている。このようなカバー本体６３によれば、ポテンショメータ３１及びスペーサ部材７１に対する泥や茎稈の付着も防止することが可能になる。なお、本実施形態のカバー本体６３は、接地側検出アーム５２、ポテンショ側検出アーム５１及びスペーサ部材７１と一緒にポテンショメータ３１を覆うように構成されるが、図１５に示すように、ポテンショメータ３１を覆うことなく、接地側検出アーム５２、ポテンショ側検出アーム５１及びスペーサ部材７１を覆うように構成されたカバー本体６３Ｂ（カバー体６０Ｂ）であってもよい。
【００５４】
［連係部の配置構成］
前述したように、刈高さ検出装置１４は、第１回動軸３３を支点として上下回動する接地体３０と、第１回動軸３３と平行な検出軸３１ａを有し、該検出軸３１ａを支点として回動するポテンショ側検出アーム５１の回動角を検出するポテンショメータ３１と、第１回動軸３３に設けられ、ポテンショ側検出アーム５１と係合することで、第１回動軸３３の回動をポテンショメータ３１に入力する接地側検出アーム３２と、を備える。
【００５５】
図１４に示すように、連係部５０を構成する接地側検出アーム５２及びポテンショ側検出アーム５１は、先端部に係合部５２ａ、５１ａを有し、係合部５２ａ、５１ａ同士が係合することで連係される。本実施形態の刈高さ検出装置１４では、接地側検出アーム５２とポテンショ側検出アーム５１とを係合させるにあたり、接地側検出アーム５２がポテンショ側検出アーム５１よりも長く形成されるとともに、接地側検出アーム５２とポテンショ側検出アーム５１との係合位置が第１回動軸３３から見て検出軸３１ａよりも遠くなるように構成されている。
【００５６】
具体的に説明すると、第１回動軸３３は、検出軸３１ａよりも前側に配置され、第１回動軸３３に連結される接地側検出アーム５２は、検出軸３１ａの位置を越えて後方に延出され、検出軸３１ａに連結されるポテンショ側検出アーム５１は、後方に延出して先端部の係合部５１ａが接地側検出アーム５２の係合部５２ａと係合されている。
【００５７】
このような連係部５０の配置構成によれば、接地体３０の第１回動軸３３とポテンショメータ３１の検出軸３１ａとを近接配置しつつ、接地側検出アーム５２の長さを長くできるので、接地体３０の角度検出精度を確保しながら刈高さ検出装置１４をコンパクトに構成することが可能になる。
【００５８】
また、第１回動軸３３及び検出軸３１ａは、機体前後方向に並ぶとともに、分草板２４の後部に形成されるスペースＳの上方側に配置されており、第１回動軸３３及び検出軸３１ａの下方には、接地体３０の回動スペースが確保される。このような連係部５０の配置構成によれば、刈高さ検出装置１４をコンパクトに構成しつつ、接地体３０の回動スペースを確保することが可能になる。また、本実施形態では、検出軸３１ａが、機体前後方向において第１回動軸３３よりも後方に配置されるので、ポテンショメータ３１の配線を後方に配索する場合に配線を短くできる。
【００５９】
［刈高さ検出装置の取付構造］
図１１に示すように、本実施形態の刈高さ検出装置１４は、少なくとも、機体走行方向及び高さ方向に沿うプレート部材２３と、プレート部材２３の一面側に上下回動自在に配置される接地体３０と、プレート部材２３の他面側に配置されて接地体３０の回動角を検出するポテンショメータ３１と、を備えてユニット化されるとともに、プレート部材２３の一面側が、分草板２４に対して着脱可能に取り付けられる。具体的に説明すると、プレート部材２３の前後両端部には一対の取付孔２３ｆが形成される一方、分草板２４の対応位置には孔又は溝からなる取付部２４ａが形成されており、取付孔２３ｆ及び取付部２４ａを貫通するボルト７３を介して、プレート部材２３の一面側が、分草板２４に対して着脱可能に取り付けられる。
【００６０】
このような刈高さ検出装置１４によれば、ユニット化されるとともに、刈取部４の下部に対して着脱可能に取り付けられるので、刈高さ検出装置１４の組立性や整備性を向上させることができる。また、接地体３０が配置されるプレート部材２３の一面側が、分草板２４に対して着脱可能に取り付けられ、プレート部材２３の他面側にポテンショメータ３１が配置されるので、プレート部材２３の一面側に接地体３０及びポテンショメータ３１を配置する場合に比べ、配置の自由度が高められるとともに、組立調整が容易となる。
【００６１】
また、本実施形態の刈高さ検出装置１４は、プレート部材２３に取り付けられる前述のカバー体６０を含めたユニットとして構成されている。このような刈高さ検出装置１４によれば、組立性を向上できるだけでなく、接地側検出アーム５２及びポテンショ側検出アーム５１に対する泥や茎稈の付着を防止できる。
【００６２】
［実施形態の効果］
叙述の如く構成された本実施形態によれば、走行機体３の前部に昇降自在に連結される刈取部４と、刈取部４の下部に設けられ、地面に対する刈取部４の高さを検出する刈高さ検出装置１４と、を備えるコンバインＣであって、刈高さ検出装置１４は、機体走行方向及び高さ方向に沿うプレート部材２３と、プレート部材２３の一面側に上下回動自在に配置される接地体３０と、プレート部材２３の他面側に配置されて接地体３０の回動角を検出するポテンショメータ３１と、を備えてユニット化されるとともに、プレート部材２３の一面側が、刈取部４の下部に対して着脱可能に取り付けられるので、刈高さ検出装置１４の組立性や整備性を向上させることができるだけでなく、プレート部材２３の一面側に接地体３０及びポテンショメータ３１を配置する場合に比べ、配置の自由度が高められるとともに、組立調整が容易となる。
【００６３】
また、刈高さ検出装置１４は、接地体３０を初期位置に向けて付勢する卜ーションバネ４８と、接地体３０に設けられ、プレート部材２３に当接することで接地体３０を初期位置に係止する下限規制ピン４６と、を備えるので、接地体３０を初期位置に係止するための構成を簡略化できる。
【００６４】
また、刈高さ検出装置１４は、プレート部材２３を一面側から他面側に亘って貫通し、一端側に連結される接地体３０を上下回動自在に支持する第１回動軸３３と、第１回動軸３３の他端側に連結されるとともにポテンショ側検出アーム５１に連係され、第１回動軸３３の回動をポテンショメータ３１に入力する接地側検出アーム５２と、プレート部材２３の他面側に取り付けられ、少なくとも接地側検出アーム５２及びポテンショ側検出アーム５１をプレート部材２３との間で覆うカバー体６０と、を備えるので、刈高さ検出装置１４をカバー体６０を含むユニットとして構成でき、その結果、刈高さ検出装置１４の組立性を向上できるだけでなく、接地側検出アーム５２及びポテンショ側検出アーム５１に対する泥や茎稈の付着を防止できる。
【符号の説明】
【００６５】
Ｃ  コンバイン
３  走行機体
４  刈取部
１４  刈高さ検出装置
２３  プレート部材
３０  接地体
３１  ポテンショメータ
３３  第１回動軸（回動軸）
４６  下限規制ピン（係止部）
４８  トーションバネ（付勢部材）
５１  ポテンショ側検出アーム（ポテンショ側連係部材）
５２  接地側検出アーム（接地側連係部材）
６０  カバー体
【図１】
2019122324.tif 000003
【図２】
2019122324.tif 000004
【図３】
2019122324.tif 000005
【図４】
2019122324.tif 000006
【図５】
2019122324.tif 000007
【図６】
2019122324.tif 000008
【図７】
2019122324.tif 000009
【図８】
2019122324.tif 000010
【図９】
2019122324.tif 000011
【図１０】
2019122324.tif 000012
【図１１】
2019122324.tif 000013
【図１２】
2019122324.tif 000014
【図１３】
2019122324.tif 000015
【図１４】
2019122324.tif 000016
【図１５】
2019122324.tif 000017